(57)【特許請求の範囲】
【請求項１】
複数の画像がコマ単位に記録された光学フィルムを移動させるフィルム送り手段と、
上記光学フィルム上に記録されている複数の画像をコマ単位で連続して読み取って電気的な画像データに変換する画像読み取り手段と、
上記画像読み取り手段により得られた画像データを一時記憶する記憶手段と、
上記画像読み取り手段により得られた画像データに補正処理を施す信号処理手段と、
上記信号処理手段により補正処理が施された画像データに基づいた画像を表示する画像表示手段と、
上記信号処理手段により補正処理が施された画像データを記録媒体に記録する記録手段と、
上記フィルム送り手段、画像読み取り手段、記憶手段、信号処理手段及び記録手段の各動作をプリスキャン及び本スキャンに対応させる制御を行う制御手段とを備え、
上記プリスキャンでは、上記フィルム送り手段により光学フィルムを順方向送りして、上記光学フィルムに記録されている全てのコマの画像を上記画像読み取り手段によりコマ単位に順次読み取って、各コマの画像データを上記記憶手段に記憶し、各コマの画像データに基づいて上記信号処理手段による補正条件を設定し、
上記本スキャンでは、上記フィルム送り手段により光学フィルムを逆方向送りして、上記光学フィルムに記録されている全てのコマの画像を上記画像読み取り手段によりコマ単位に順次読み取って、上記信号処理手段により上記プリスキャンで設定された補正条件で補正処理を施し、該補正処理が施された各コマの画像データをコマ単位にその取り込み順を示すデータ及び全コマ数のデータとともに上記画像表示手段で画像表示するとともに上記記録手段で記録媒体に記録することを特徴とする画像読み取り装置。
【請求項２】
上記制御手段は、上記本スキャン時に上記画像読み取り手段により各コマの読み取り動作が終了する毎に当該読み取り動作が終了したコマの画像並びにその読み取り順を示すデータを全コマ数のデータとともに表示し、上記画像読み取り手段により読み取られたコマの画像に対して、上記信号処理手段により上記プリスキャンで設定された補正条件で補正処理を施し、該補正処理が施された画像データを上記画像表示手段で表示する制御を行うことを特徴とする請求項１記載の画像読み取り装置。
【請求項３】
（元の請求項２）
上記制御手段は、次のコマの画像を表示するまで現在の画像を表示しておくことを特徴とする請求項２記載の画像読み取り装置。
【発明の詳細な説明】
【０００１】
【産業上の利用分野】
本発明は、光学フィルムにコマ単位に記録された画像を読み取り、読み取られた各コマの画像データを書換可能な記録媒体に記録する画像読み取り装置に関するものである。
【０００２】
【従来の技術】
今日において、デジタル画像処理の応用分野は急速に広がり、目視検査の自動化のように、実際に産業の現場で実用化されている。また、一方では、対象の種類が爆発的に増加している。
【０００３】
例えば、コンピュータ周辺機器としてのフラットベット型スキャナ（以下、単にスキャナと言う。）を用いて、光学フィルム（以下、単にフィルムと言う。）にコマ単位で記録された画像をデジタル画像として読み取り、読み取ったデジタル画像を書換可能なデジタルディスク（以下、単にディスクと言う。）に記録する画像読み取り装置がある。
【０００４】
上記画像読み取り装置では、先ず、スキャナによりフィルムに記録された各コマの画像が順次読み取られる。この時、使用者は、ディスクの空き容量と上記スキャナにより読み取られた各コマの画像のサイズをコマ毎に順次比較し、その比較結果に応じて、例えば、キー入力操作等により書き込み命令を発行することにより、フィルムに記録された各コマの画像がディスクに順次記録されるようになされている。また、例えば、上記コンピュータ周辺機器としてのレーザプリンタにより、上述のようにして各コマの画像が記録されたディスクのインデックス情報（以下、インデックスプリントと言う。）等をプリントアウトすることができるようになされている。
【０００５】
【発明が解決しようとする課題】
しかし、上述したような画像読み取り装置では、使用者は、現在どのコマの画像がスキャナにより読み取られているのかを認識することができなかった。また、スキャナにより読み取られた各コマの画像を確認する場合には、フィルムに記録された全てのコマの画像がスキャナにより読み取られディスクに記録された後に、ディスクに記録された各コマの画像を順に検索して確認する必要があった。このように非常に面倒な作業を行う必要があったため、特に、大量のフィルムを高速に読み取って記録する場合等には、効率良く作業することができなかった。さらに、ディスクに記録した画像枚数が多い程、その分検索の速度が遅くなるため、作業効率がさらに悪くなってしまっていた。
【０００６】
そこで、本発明は、上述の如き従来の実情に鑑みてなされたものであり、次のような目的を有するものである。
【０００７】
即ち、本発明の目的は、光学フィルムに記録された各コマの画像を迅速且つ確実に順次読み取って記録媒体に記録すると共に、読み取られた画像及びその画像の読み取り順を示す情報をモニタ表示することにより、作業効率を向上させることができる画像読み取り装置を提供することにある。
【０００８】
【課題を解決するための手段】
上述の課題を解決するために、本発明に係る画像読み取り装置は、複数の画像がコマ単位に記録された光学フィルムを移動させるフィルム送り手段と、上記光学フィルム上に記録されている複数の画像をコマ単位で連続して読み取って電気的な画像データに変換する画像読み取り手段と、上記画像読み取り手段により得られた画像データを一時記憶する記憶手段と、上記画像読み取り手段により得られた画像データに補正処理を施す信号処理手段と、上記信号処理手段により補正処理が施された画像データに基づいた画像を表示する画像表示手段と、上記信号処理手段により補正処理が施された画像データを記録媒体に記録する記録手段と、上記フィルム送り手段、画像読み取り手段、記憶手段、信号処理手段及び記録手段の各動作をプリスキャン及び本スキャンに対応させる制御を行う制御手段とを備え、上記プリスキャンでは、上記フィルム送り手段により光学フィルムを順方向送りして、上記光学フィルムに記録されている全てのコマの画像を上記画像読み取り手段によりコマ単位に順次読み取って、各コマの画像データを上記記憶手段に記憶し、各コマの画像データに基づいて上記信号処理手段による補正条件を設定し、上記本スキャンでは、上記フィルム送り手段により光学フィルムを逆方向送りして、上記光学フィルムに記録されている全てのコマの画像を上記画像読み取り手段によりコマ単位に順次読み取って、上記信号処理手段により上記プリスキャンで設定された補正条件で補正処理を施し、該補正処理が施された各コマの画像データをコマ単位にその取り込み順を示すデータ及び全コマ数のデータとともに上記画像表示手段で画像表示するとともに上記記録手段で記録媒体に記録することを特徴とする。
【００１０】
【作用】
本発明に係る画像読み取り装置では、フィルム送り手段により複数の画像がコマ単位に記録された光学フィルムを移動させ、上記光学フィルム上に記録されている複数の画像を画像読み取り手段によりコマ単位で連続して読み取って電気的な画像データに変換する。プリスキャンでは、上記フィルム送り手段により光学フィルムを順方向送りして、上記光学フィルムに記録されている全てのコマの画像を上記画像読み取り手段によりコマ単位に順次読み取って、各コマの画像データを記憶手段に記憶し、各コマの画像データに基づいて上記信号処理手段による補正条件を設定し、本スキャンでは、上記フィルム送り手段により光学フィルムを逆方向送りして、上記光学フィルムに記録されている全てのコマの画像を上記画像読み取り手段によりコマ単位に順次読み取って、上記信号処理手段により上記プリスキャンで設定された補正条件で補正処理を施し、該補正処理が施された各コマの画像データをコマ単位にその取り込み順を示すデータ及び全コマ数のデータとともに画像表示手段で画像表示するとともに記録手段で記録媒体に記録するように制御手段により上記フィルム送り手段、画像読み取り手段、記憶手段、信号処理手段及び記録手段の各動作を制御する。
【００１２】
【実施例】
以下、本発明の一実施例について図面を参照しながら説明する。
【００１３】
本発明に係る画像読み取り装置は、例えば、図１に示すような画像読み取り装置１００に適用される。
【００１４】
すなわち、画像読み取り装置１００は、スキャナ制御部１により制御されるスキャナ１１と、メモリ制御部２により制御されるメインメモリ２１及びビデオメモリ２２と、プリンタ制御部３により制御されるプリンタインターフェース部３１及びプリンタ３２と、ディスク制御部４により制御されるディスクインターフェース部４１及びディスクドライブ４２と、キーボード６と、表示部７と、装置全体の動作制御を行うシステム制御部５とを備えている。
【００１５】
スキャナ１１の出力は、メインメモリ２１に供給されるようになされている。また、メインメモリ２１の出力は、ビデオメモリ２２を介して表示部７に供給されるようになされている。
【００１６】
メインメモリ２１とプリンタ３２間のデータのやりとりは、プリンタインターフェース部３１を介して行われるようになされている。また、メインメモリ２１とディスクドライブ４２間のデータのやりとりは、ディスクインターフェース部４１を介して行われるようになされている。
【００１７】
キーボード６におけるキー操作情報は、システム制御部５に供給されるようになされている。
【００１８】
まず、システム制御部５は、キーボード６のキー操作に基いた動作が行われるように、また、プリスキャン及び本スキャンに対応した動作が行われるように、スキャナ制御部１、メモリ制御部２、プリンタ制御部３、ディスク制御部４等の動作制御を行う。
【００１９】
スキャナ１１は、図示していないが、光学フィルムを移動させるフィルム送り手段と、光学フィルムに記録されている各コマの画像をコマ単位に順次読み取って電気的な画像データに変換する画像読み取り部とを備えている。上記フィルム送り手段は、図示していないフィルム送りモータからなり、スキャナ制御部１の制御に基いて駆動制御されることにより光学フィルムを順方向送り、又は逆方向送りする。また、上記画像読み取り部は、ＣＣＤ（Ｃｈａｒｇｅ  Ｃｏｕｐｌｅｄ  Ｄｅｖｉｃｅ）ラインセンサからなり、光学フィルムに記録された各コマの画像を順次読み取って電気的なデータに変換した画像データをデジタル画像データとして出力するものである。
【００２０】
上述のようなスキャナ１１の読み取り解像度は、ＨＤ（Ｈｉｇｈ  Ｄｅｆｉｎｉｔｉｏｎ）方式による１０２４×１５３６画素（以下、ＨＤ解像度と言う。）、及びＵＤ（Ｕｌｔｒａ  Ｄｅｆｉｎｉｔｉｏｎ）方式による２０４８×３０７２画素（以下、ＵＤ解像度と言う。）である。また、スキャナ１１は、３５ｍｍネガ／リバーサルフィルムの長尺又は６コマ切りフィルム、３５ｍｍスライドマウント、及びコダック社を軸とした新規格フィルム（新写真システム：Ａｄｖａｎｃｅｄ  Ｐｈｏｔｏ  Ｓｙｓｔｅｍ、以下、ＡＰＳと言う。）の３種類の光学フィルム（以下、単にフィルムと言う。）を扱うことができるようになされている。
【００２１】
ここで、本実施例では、システム制御部５は、プリスキャン時には、光学フィルムが順方向送りされるようにスキャナ制御部１を制御し、本スキャン時には、光学フィルムが逆方向送りされるようにスキャナ制御部１を制御するようになされている。
【００２２】
また、本実施例では、システム制御部５は、プリスキャン時にメインメモリ２１に記憶された各コマの画像データに基いて、後述する図示していない信号処理部における補正処理の条件を設定するようになされている。上記信号処理部は、システム制御部５により設定された補正処理の条件を用いて、本スキャン時にメインメモリ２１に記憶された各コマの画像データに対して補正処理等の信号処理を施し、その信号処理を施した各コマの画像データを再生画像データとして順次ビデオメモリ２２に記憶するようになされている。
【００２３】
ビデオメモリ２２は、メモリ制御部２の制御に基いて、記憶された各コマの画像データを所定の読み出しタイミングで表示部７に供給するようになされている。また、ビデオメモリ２２には、例えば、後述する初期画面、モード設定画面、読み取られた画像及びその画像の読み取り順を示す情報が表示される本スキャン中画面、及び各種のメッセージ画面等の画面データが予め設定されている。
【００２４】
表示部７は、例えば、３８４×５７６画素のＣＲＴ（Ｃａｔｈｏｄｅ  ＲａｙＴｕｂｅ）からなり、１文字３２×２４画素の１２行×２４文字で文字表示することができようになされている。この表示部７には、ビデオメモリ２２からの再生画像データに基いた画像、及び上記初期画面、モード設定画面、本スキャン中画面、及び各種のメッセージ画面等が表示される。
【００２５】
一方、ディスクドライブ４２は、ディスク制御部４の制御に基いて、メインメモリ２１からディスクインターフェース部４１を介して供給される上記信号処理部で補正処理等の信号処理が施された各コマの画像データをセットされた記録媒体に記録するものである。このディスクドライブ４２で扱う記録媒体としては、光磁気ディスクを用いた書換可能なデジタルディスク（以下、単にディスクと言う。）である。
【００２６】
上記ディスクには、図２に示すように、ＨＤ解像度の１枚分の画像が、２クラスタの表示部７の表示用の画像ＳＤ（Ｓｔａｎｄａｒｄ  Ｄｉｆｉｎｉｔｉｏｎ）と、８クラスタのＨＤ解像度の画像ＨＤとの合計１０クラスタの記録領域に記録されるようになされている。また、ＵＤ解像度の１枚分の画像が、２クラスタの表示部７の表示用の画像ＳＤと、１８クラスタのＵＤ解像度の画像ＵＤとの合計２０クラスタの記録領域に記録されるようになされている。尚、１クラスタのデータ量は、６４ＫＢｙｔｅ（６４ＫＢｙｔｅ／ｃｌｕｓｔｅｒ）とし、上記画像ＳＤは、６４０×４８０画素とする。
【００２７】
したがって、上述したようなディスクは、ＨＤ解像度の画像のみの場合は、２００枚、ＵＤ解像度の画像のみの場合は、１００枚記録することができるようになされている。また、上記ディスクには、ＨＤ解像度の画像、及びＵＤ解像度の画像を混合させて記録することもできるようになされている。
【００２８】
また、上記ディスクは、所定の方式でフォーマットされているものとする。この所定の方式のフォーマットにより、例えば、ディスクに記録することができるアルバム数は、最大２５アルバムとしている。
【００２９】
そこで、図３に示すように、フィルム１本に記録された各コマの画像データ１−０１，１−０２，１−０３，・・・は、１つのアルバム０１に記録されるようになされている。すなわち、フィルム１本を１アルバムとして扱うようになされている。
【００３０】
プリンタ３２は、プリンタ制御部３の制御に基いて、メインメモリ２１からプリンタインターフェース部３１を介して供給される各種情報、例えば、後述するディスクのインデックス情報等をプリントアウトするものである。尚、本実施例では、インデックスプリントＯＮの状態とする。
【００３１】
ここで、図４、図５、及び図６は、画像読み取り装置１００における操作、及びシステム内の動作を示したフローチャートである。以下、上記図１に示した画像読み取り装置１００の構成図、及び図４、図５、及び図６に示すフローチャートを用いて説明する。
【００３２】
先ず、上記図４に示すように、使用者は、必要に応じて、フィルムに対応したスリーブ用、又はマウント用、又はＡＰＳ用のキャリアに交換する（ステップＳ１）。本実施例では、例えば、長尺フィルムを扱うものとし、スリーブ用のキャリアに交換する。
【００３３】
次に、使用者は、画像読み取り装置１００を電源ＯＮ状態にする（ステップＳ２）。
【００３４】
電源ＯＮ状態になると、画像読み取り装置１００の各構成要件は、各々起動初期状態となり、例えば、スキャナ制御部１は、スキャナ１１が所定の初期位置に移動されるように制御する（ステップＳ３）。
【００３５】
また、システム制御部５は、上述したように、ビデオメモリ２２に予め設定されている複数の画面データのうち、例えば、初期画面データが表示部７に供給されるようにメモリ制御部２を制御する。これにより、ビデオメモリ２２から表示部７に初期画面データが供給され、表示部７には、図７に示すような初期画面が表示される。
【００３６】
次に、使用者は、スキャナ１１の図示していないＣＣＤラインセンサでランプをチェックし、ランプが切れていた場合には、ランプを交換する（ステップＳ４）。
【００３７】
次に、使用者は、必要に応じて、上記図５に示した初期画面のキー操作指示行に従ってキーボード６を操作することにより、フィルムの種類及び記録解像度を設定するためのモード変更指示を発行する。
【００３８】
このモード変更指示が発行されることにより、システム制御部５は、ビデオメモリ２２に予め設定されているモード設定画面データが表示部７に供給されるようにメモリ制御部２を制御する。したがって、表示部７には、図８に示すようなモード設定画面が表示される。
【００３９】
上記図８に示したモード設定画面では、キーボード６の図示していない矢印キー「→」「←」「↑」「↓」により、フィルムの種類及び記録解像度を設定できるようになされている。また、後述する残コマ数及び残アルバム数、現在使用中のキャリアの情報が表示される。さらに、上記モード設定画面では、キーボード６の図示していないキー「ＥＸＥＣ／ＮＥＸＴ」により、次画面が表示されるようになされている。
【００４０】
上述のようなモード設定画面において、フィルムの種類は、３５ｍｍネガ／リバーサルフィルムの長尺フィルム又は６コマ切りフィルム、又は３５ｍｍスライドマウント、又はＡＰＳフィルムの何れかを設定することができ、記録解像度は、ＨＤ解像度である標準モード、又はＵＤ解像度である高解像度モードの何れかを設定することができるようになされている。ここで、デフォルト時には、フィルムの種類は、長尺フィルムに設定されており、フィルムの解像度は、標準モードに設定されている。
【００４１】
そこで、使用者は、キーボード６を操作することにより、フィルムの種類を長尺フィルムに設定し、記録解像度を標準モードに設定する。これにより、システム制御部５は、設定された各種モードに基いた動作がおこなわれるように各種制御を行う（ステップＳ５）。
【００４２】
上述したようなモード設定処理終了後、使用者は、このモード設定画面において、キーボード６の図示していないキー「ＥＸＥＣ／ＮＥＸＴ」を操作する。これにより、システム制御部５は、前画面の初期画面データが表示部７に供給されるようにメモリ制御部２を制御する。したがって、表示部７には、前画面である上記図７に示した初期画面が表示される。
【００４３】
次に、使用者は、ディスクドライブ４２にディスクをセットする（ステップＳ６）。
【００４４】
ディスクがセットされると、ディスク制御部４は、システム制御部５の制御に基いて、セットされたディスクが所定の方式のフォーマット準拠に基いてフォーマットされているか否かを判断すると共に、上記ディスクにおける後述する残コマ数及び残アルバム数の算出を行う（ステップＳ７）。そして、ディスク制御部４は、判断結果及び算出結果をシステム制御部５に供給する。
【００４５】
システム制御部５は、ディスク制御部５からの判断結果及び算出結果に基いて、セットされたディスクが所定の方式のフォーマット準拠に基いてフォーマットされていない場合、又は上記ディスクにおける残コマ数及び残アルバム数が不足していた場合には、セットされたディスクが排出状態となるようにディスク制御部４を制御する（ステップＳ８）。
【００４６】
そして、正常なディスクがセットされるまで、上記ステップＳ６のディスクセット処理から上記ステップＳ８のディスク排出処理までの各ステップ処理を繰り返す。
【００４７】
正常なディスクがセットされると、すなわちセットされたディスクが所定の方式のフォーマット準拠に基いてフォーマットされており、且つディスクにおける残コマ数及び残アルバム数も十分であった場合、システム制御部５は、ビデオメモリ２２に予め設定されているフィルムセット画面データが表示部７に供給されるようにメモリ制御部２を制御する。したがって、表示部７には、図９に示すようなフィルムセット画面が表示される。
【００４８】
そこで、上記図５に示すように、使用者は、フィルムをセットする（ステップＳ９）。この時、スキャナ制御部１は、セットされたフィルムの挿入方向を判別し、その判別結果をシステム制御部５に供給する。
【００４９】
システム制御部５は、スキャナ制御部１からの判別結果に基いて、フィルムの乳剤面を手前にしてセットされなかった場合には、上記図９に示すように、フィルムセット画面において、フィルム挿入方向が違うことを示すエラーメッセージが表示されるように制御する。このエラーメッセージにより使用者は、フィルム挿入方向が誤っていることを認識し、フィルムを再度セットし直す。そして、スキャナ制御部１は、再度セットされたフィルムの挿入方向を判別する。
【００５０】
正常な方向でフィルムがセットされると、システム制御部５は、ビデオメモリ２２に予め設定されているプリスキャン開始画面データが表示部７に供給されるようにメモリ制御部２を制御する。したがって、表示部７には、図１０に示すようなプリスキャン開始画面が表示される。
【００５１】
上記図１０に示したプリスキャン開始画面では、キーボード６の図示していないキー「ＳＣＡＮ」を押下することにより、プリスキャン動作が開始されるようになされている。また、キーボード６の図示していないキー「Ｖ」＋「ＳＣＡＮ」を押下することにより、プリスキャン動作が中止されるようになされている。
【００５２】
そこで、使用者は、キーボード６の図示していないキー「ＳＣＡＮ」を押下する。これにより、システム制御部５は、ビデオメモリ２２に予め設定されているプリスキャン中画面データが表示部７に供給されるようにメモリ制御部２を制御する。したがって、表示部７には、図１１に示すようなプリスキャン中画面が表示される。また、システム制御部５は、プリスキャン動作が行われるように各種制御を行う。
【００５３】
すなわち、先ず、スキャナ制御部１は、システム制御部５の制御に基いて、セットされたフィルムが順方向に送られるようにスキャナ１１を制御する。これにより、スキャナ１１は、フィルムに記録された各コマの画像を順方向で順次読み取る。ここで、スキャナ制御部１は、スキャナ１１が上記フィルムの画像が記録されていない頭の部分をスキャンした際の読み取り情報に基いて、オートフォーカス及び光源補正を行う（ステップＳ１０）。
【００５４】
そして、スキャナ１１は、オートフォーカス及び光源補正処理後、フィルムに記録されている各コマの画像を順方向で順次読み取り、読み取った画像データをデジタル画像データとしてメインメモリ２１に記憶する（ステップＳ１１）。
【００５５】
上記フィルムに記録されている全てのコマの画像が読み取られ、メインメモリ２１に記憶されると、すなわちフィルムの終端までプリスキャンが終了すると、スキャナ制御部１は、セットされたフィルムの順方向送りが停止するようにスキャナ１１を制御する。
【００５６】
プリスキャン動作が終了すると、システム制御部５は、メインメモリ２１に記憶された各コマの画像データのうち、６コマの画像データがビデオメモリ２２を介して表示部７に供給されるようにメモリ制御部２を制御する。したがって、表示部７には、図１２に示すような６コマの画像データに基いた画像が表示される（ステップＳ１２）。
【００５７】
ここで、使用者は、表示部７に画面表示された６コマの画像が天地逆に表示されていた場合には、キーボード６の図示していないキー「Ｖ」＋「Ｙ」を押下する。これにより、システム制御部５は、メインメモリ２１に記憶された全てのコマの画像データを１８０゜回転した画像データに変換されるように制御する。そして、システム制御部５は、１８０゜回転した画像データがビデオメモリ２２を介して表示部７に供給されるようにメモリ制御部２を制御する。これにより、表示部７には、６コマの画像が天地反転して表示される（ステップＳ１３）。
【００５８】
次に、表示部７に画面表示された６コマの画像がずれていた場合には、キーボード６の図示していないキー「Ｖ」＋「アルバム」を押下する。これにより、システム制御部５は、ビデオメモリ２２に予め設定されているコマ位置調整画面データが表示部７に供給されるようにメモリ制御部２を制御する。したがって、表示部７には、図示していないコマ位置調整画面が表示される。そして、使用者は、上記コマ位置調整画面において、キーボード６の各キーを操作することにより、コマの位置を調整する。このキー操作に従って、システム制御部５は、コマ位置が調整されるようにメモリ制御部２を制御する（ステップＳ１４）。
【００５９】
上述したようなコマ位置調整処理終了後、使用者は、例えば、上記コマ位置調整画面において、キーボード６の図示していないキー「Ｖ」＋「アルバム」を押下する。これにより、システム制御部５は、前画面の６コマ画面データが表示部７に供給されるようにメモリ制御部２を制御する。したがって、表示部７には、前画面である上記図１２に示した６コマ画面が表示される。
【００６０】
次に、ＰＡＳＳ／パノラマ／ワイドの各サイズモードを解除したい場合には、使用者は、キーボード６の図示していないキー「Ｖ」＋「＋」を押下する。これにより、システム制御部５は、ＰＡＳＳ／パノラマ／ワイドの各サイズモードが解除されるようにメモリ制御部２を制御する（ステップＳ１５）。
【００６１】
次に、任意の１コマのみを表示したい場合には、使用者は、キーボード６の図示していないキー「Ｖ」＋「Ｆ」を押下する。これにより、システム制御部５は、現在画面表示されている６コマの画像のうちの任意の１コマのみが画面表示されるようにメモリ制御部２を制御する。したがって、表示部７には、図１３に示すような１コマ画面が表示される（ステップＳ１６）。
【００６２】
次に、上記図１３に示した１コマ画面から前画面に戻る場合には、使用者は、キーボード６の図示していないキー「Ｖ」＋「Ｆ」を押下する。これにより、システム制御部５は、前画面の６コマ画面データが表示部７に供給されるようにメモリ制御部２を制御する。したがって、表示部７には、前画面である上記図１２に示した６コマ画面が表示される。
【００６３】
次に、システム制御部５は、メインメモリ２１に記憶された各コマの画像データから各色成分のヒストグラムを生成し、このヒストグラムに基いて補正適正量を算出する（ステップＳ１７）。
【００６４】
次に、現在表示部７に表示されている６コマの画像に対して、上記ステップＳ１４のコマ位置調整処理から上記ステップＳ１７の濃度及び色補正処理までの必要な各ステップ処理が行われたか否かを判断する（ステップ１８）。
【００６５】
６コマの画像に対して上記ステップＳ１４〜Ｓ１７の各処理が終了していない場合には、終了するまで上記ステップＳ１４からの処理を繰り返す。
【００６６】
６コマの画像に対して上記ステップＳ１４〜Ｓ１７の各処理が終了したと判断した（ステップＳ１８）場合、使用者は、キーボード６の図示していないキー「ＥＸＥＣ／ＮＥＸＴ」を押下する。
【００６７】
次に、フィルムに記録された全てのコマの画像に対して、上記ステップＳ１２の６コマ表示処理からステップＳ１８の６コマ終了判断処理までの各ステップ処理を行ったか否かを判断する（ステップＳ１９）。
【００６８】
フィルムに記録された全てのコマの画像に対して上記ステップＳ１２〜Ｓ１８の各処理が終了していない場合には、終了するまで上記ステップＳ１２からの処理を繰り返す。
【００６９】
フィルムに記録された全てのコマの画像に対して上記ステップＳ１２〜Ｓ１８の各処理が終了した場合、使用者は、キーボード６の図示していないキー「ＥＸＥＣ／ＮＥＸＴ」を押下する。これにより、システム制御部５は、ビデオメモリ２２に予め設定されている本スキャン開始画面データが表示部７に供給されるようにメモリ制御部２を制御する。したがって、表示部７には、図１４に示すような本スキャン開始画面が表示される。
【００７０】
上記図１４に示した本スキャン開始画面では、キーボード６の図示していないキー「ＳＣＡＮ」を押下することにより、本スキャン動作が開始されるようになされている。また、キーボード６の図示していないキー「Ｖ」＋「ＳＣＡＮ」を押下することにより、プリスキャン動作が中止されるようになされている。
【００７１】
そこで、使用者は、キーボード６の図示していないキー「ＳＣＡＮ」を押下する。これにより、システム制御部５は、ビデオメモリ２２に予め設定されている本スキャン中画面データが表示部７に供給されるようにメモリ制御部２を制御する。したがって、表示部７には、図１５に示すような本スキャン中画面が表示される。そして、システム制御部５は、本スキャン動作が行われるように各種制御を行う。
【００７２】
すなわち、上記図６に示すように、システム制御部５は、プリスキャン時におけるフィルムの順方向送りに対して、この本スキャン時には、セットされたフィルムが逆方向に送られるようにスキャナ制御部１を制御する。これにより、スキャナ１１は、上記フィルムに記録されている各コマの画像を逆方向で順次読み取り、読み取った画像データをデジタル画像データとしてメインメモリ２１に記憶する（ステップＳ２０）。
【００７３】
次に、上述した信号処理部は、プリスキャン時に得られた補正適正量を用いて、メインメモリ２１に記憶された各コマの画像に対して補正処理を施す。
【００７４】
ここで、本実施例では、上記信号処理部は、システム制御部５の制御に基いて、コマ単位で、補正処理済みの画像データ、及び画像データの取り込み順を示すデータ、すなわち上記画像データに対応したフィルム上でのコマ番号をビデオメモリ２２を介して表示部７に供給する。これにより、表示部７には、補正済み画像データに基いた画像が表示されると共に、その画像に対応したコマ番号情報が表示される（ステップＳ２１）。この時、例えば、次のコマの画像が表示されるまでは、現在のコマの画像が表示された画面を保持するようになされている。そして、最終コマまでの表示が終了すると、図示していないが終了画面が表示されるようになされている。
【００７５】
また、上記信号処理部は、補正処理済みの画像データをディスクインターフェース部４１を介してディスクドライブ４２に供給する。これにより、ディスクドライブ４２は、ディスク制御部４の制御に基いて、上記信号処理部からの補正処理済み画像データをセットされたディスクに記録する（ステップＳ２２）。
【００７６】
次に、システム制御部５は、フィルムに記録されている全てのコマの画像に対して、上記ステップ２０の本スキャン処理、及び上記ステップＳ２１のディスク記録処理が行われた否かを判断する（ステップＳ２３）。
【００７７】
フィルムに記録されている全てのコマの画像に対して上記ステップＳ２０及びステップＳ２１の各処理が終了していない場合、上記ステップＳ２０に戻り、以降の各ステップ処理を繰り返す。
【００７８】
フィルムに記録されている全てのコマの画像に対して上記ステップＳ２０及びステップＳ２１の各処理が終了した場合、すなわちフィルムの終端まで本スキャンが終了すると、スキャナ制御部１は、セットされたフィルムの逆方向送りが停止するようにスキャナ１１を制御する。
【００７９】
次に、上述したディスクにおける残コマ数及び残アルバム数を算出する（ステップＳ２４）。ここで、図１６は、ディスクの残コマ数及び残アルバム数の取得処理を示したフローチャートである。以下、図１６を用いて説明する。
【００８０】
先ず、システム制御部５は、ディスク制御部４に対して、「残コマ数・残アルバム数情報」要求を発行する（ステップＳ２４１）。
【００８１】
次に、ディスク制御部４は、システム制御部５からの「残コマ数・残アルバム数情報」要求により、上述したステップＳ５において設定された記録解像度のモードに基いた残コマ数を算出する（ステップＳ２４２）。
【００８２】
すなわち、標準モード設定時の場合には、上述したように、ＨＤ解像度の画像のみを１枚のディスクに２００枚記録することができ、１枚の画像のデータ量は、１０クラスタであるため、この場合の残コマ数は、
0003946787.tif 000002
なる式により算出することができる。
【００８３】
また、高解像度モード設定時の場合には、上述したように、ＵＤ解像度の画像のみを１枚のディスクに１００枚記録することができ、１枚の画像のデータ量は、２０クラスタであるため、この場合の残コマ数は、
0003946787.tif 000003
なる式により算出することができる。
【００８４】
上述のようにして残コマ数を算出した後、ディスク制御部４は、残アルバム数を算出する（ステップＳ２４３）。すなわち、上述したように、１枚のディスクのアルバム数は、最大２５アルバムであるため、残アルバム数は、
残アルバム数  ＝  ２５−記録済みアルバム数
なる式により算出することができる。尚、記録済みアルバム数の情報は、ディスクの管理ファイルから取得する。
【００８５】
次に、ディスク制御部４は、上述のようにして算出した残コマ数及び残アルバム数をシステム制御部５に対して応答情報として発行する（ステップＳ２４４）。
【００８６】
そして、最後に、システム制御部５は、ビデオメモリ２２に予め設定されている長尺フィルム用の残量画面データが表示部７に供給されると共に、ディスク制御部４からの残コマ数及び残アルバム数に基いた画像データが供給されるようにメモリ制御部２を制御する。したがって、表示部７には、図１７に示すように、上述のようにして得られた残コマ数及び残アルバム数の情報が示された長尺フィルム用残量画面が表示される（ステップＳ２４５）。
【００８７】
ここで、上述したようにフィルム１本を１アルバムとして扱うものとしているため、上記図１７に示した長尺フィルム用残量画面では、「新しいアルバムに入力する」か、又は「入力を終了する」かを選択できるようになされている。そこで、使用者は、キーボード６の図示していない矢印キー「↓」「↑」で選択する。このキー操作による選択により、システム制御部５は、上記図６に示すように、入力続行するか否かを判断する（ステップＳ２５）。
【００８８】
入力続行する場合、すなわち上記図１７に示した長尺フィルム用残量画面において、「新しいアルバムに入力する」が選択された場合、上記図５に示したステップＳ９のフィルムセット処理に戻り、以降の各ステップ処理を繰り返す。
【００８９】
入力を終了する場合、使用者は、キーボード６の図示していないキー「ＥＸＥＣ／ＮＥＸＴ」を押下する。これにより、システム制御部５は、ビデオメモリ２２に予め設定されているインデックスプリント設定画面データが表示部７に供給されるようにメモリ制御部２を制御する。したがって、表示部７には、図示していないインデックスプリント設定画面が表示される。使用者は、このインデックスプリント設定画面に表示されている操作指示に従って、インデックス画面数及びプリント用紙サイズを設定する（ステップＳ２６）。
【００９０】
インデックスプリント設定処理が終了すると、システム制御部５は、ビデオメモリ２２に予め設定されているインデックスプリント開始画面データが表示部７に供給されるようにメモリ制御部２を制御する。したがって、表示部７には、図１８に示すようなインデックスプリント開始画面が表示される。
【００９１】
そこで、使用者は、キーボード６の図示していないキー「ＩＮＤＥＸ  ＰＲＩＮＴ」を押下する。これにより、システム制御部５は、ビデオメモリ２２に予め設定されているインデックスプリント中画面データが表示部７に供給されるようにメモリ制御部２を制御する。したがって、表示部７には、図１９に示すようなインデックスプリント中画面が表示される。そして、システム制御部５は、インデックスプリント動作が行われるようにプリンタ制御部３を制御する（ステップＳ２７）。
【００９２】
次に、プリンタ制御部３は、上記ステップＳ２５において設定された枚数分のインデックス情報を全てプリントしたか否かを判断する（ステップＳ２８）。
【００９３】
全プリントを終了していない場合、上記ステップＳ２６のインデックスプリント処理に戻り、プリントを続行する。
【００９４】
全プリントを終了した場合、システム制御部５は、ビデオメモリ２２に予め設定されているインデックスプリント終了画面データが表示部７に供給されるようにメモリ制御部２を制御する。したがって、表示部７には、図２０に示すようなインデックスプリント終了画面が表示される。
【００９５】
そして、最後に、使用者は、上記図２０に示したインデックスプリント終了画面において、キーボード６の図示していないキー「ＥＸＥＣ／ＮＥＣＴ」を押下する。これにより、システム制御部５は、ディスクドライブ４２にセットされているディスクが排出状態となるようにディスク制御部４を制御する。また、システム制御部５は、ビデオメモリ２２に予め設定されている初期画面データが表示部７に供給されるようにメモリ制御部２を制御する。したがって、ディスクは排出状態となり、表示部７には、上記図７に示した初期画面が表示される（ステップＳ２９）。
【００９６】
上述のように、本実施例では、本スキャン時には、コマ単位に補正済み画像データを表示部７に表示すると共に、その補正済み画像データの取り込み順を示すコマ番号を表示部７に表示するため、使用者は、なんコマ目の画像が読み取られたかを直感的且つ具体的に確認することができる。また、使用者は、読み取られた画像を読み取られた時点で確認することができる。これにより、使用者は、従来のような面倒な作業を行う必要がなく、効率良く記録作業を行うことができる。これは、特に、大量のフィルムを記録する場合には、大きな効果を得ることができる。
【００９７】
また、プリスキャン時には、フィルムを順方向送り、本スキャン時には、フィルムを逆方向送りとしているため、フィルムに記録された各コマの画像を迅速に且つ確実に読み取ることができる。したがって、処理時間を短縮することができるため、作業効率を向上させることができる。
【００９８】
尚、上記図４〜図６に示したフローチャートにおいて、長尺フィルムを扱う場合を説明したが、例えば、６コマ切りフィルムを扱った場合には、ステップ２３において画面表示される上記図１７に示した長尺フィルム用残量画面の換わりに、図２１に示すような６コマ切りフィルム用の残量画面が表示される。すなわち、この場合、入力続行の選択は、「新しいアルバムに入力する」、「同じアルバムに入力する」、又は「入力を終了する」かを選択できるようになされている。
【００９９】
また、上記ステップＳ２５のインデックスプリント処理において、インデックスプリントＯＦＦの場合には、プリントするかしないかを選択できるようになされている。
【０１００】
【発明の効果】
本発明に係る画像読み取り装置では、画像読み取り手段は、光学フィルム上に記録されている複数の画像をコマ単位に読み取って電気的な画像データに変換する。画像表示手段は、上記画像読み取り手段によって読み取られた画像データを表示する。制御手段は、上記画像読み取り手段によって上記光学フィルムの画像を各コマ毎に読み取る読み取り動作と同時に、上記画像読み取り手段によって読み取った画像データと読み取り順を示すデータとを上記画像表示手段に表示するように上記画像読み取り手段及び上記表示手段を制御する。これにより、使用者は、なんコマ目の画像が読み取られたかを直感的且つ具体的に確認することができる。また、使用者は、読み取られた画像を読み取られた時点で確認することができる。従って、作業効率を向上させることができる。
【０１０１】
本発明に係る画像読み取り装置では、フィルム送り手段は、複数の画像がコマ単位に記録された光学フィルムを移動させる。画像読み取り手段は、上記光学フィルムに記録されている画像をコマ単位に読み取って電気的な画像データに変換する。記憶手段は、上記画像読み取り手段により得られた画像データを一時記憶する。信号処理手段は、上記画像読み取り手段により得られた画像データに補正処理を施す。画像表示手段は、上記信号処理手段により補正処理が施された画像データに基いた画像を表示する。記録手段は、上記信号処理手段により補正処理が施された画像データを記録媒体に記録する。制御手段は、上記プリスキャンでは、上記フィルム送り手段により光学フィルムが順方向送され、上記光学フィルムに記録されている全てのコマの画像が上記画像読み取り手段によりコマ単位に順次読み取られ、各コマの画像データが上記記憶手段に記憶され、各コマの画像データに基いて上記信号処理手段による補正条件が設定されるように、上記フィルム送り手段、画像読み取り手段、記憶手段、信号処理手段及び記録手段の各動作を制御する。また、上記制御手段は、上記本スキャンでは、上記フィルム送り手段により光学フィルムが逆方向送りされ、上記光学フィルムに記録されている全てのコマの画像が上記画像読み取り手段によりコマ単位に順次読み取られ、上記信号処理手段により上記プリスキャンで設定された補正条件で補正処理が施され、該補正処理が施された各コマの画像データがコマ単位にその取り込み順を示すデータとともに上記画像表示手段で画像表示されるとともに上記記録手段で記録媒体に記録されるように、上記フィルム送り手段、画像読み取り手段、記憶手段、信号処理手段及び記録手段の各動作を制御する。これにより、使用者は、なんコマ目の画像が読み取られたかを直感的且つ具体的に確認することができる。また、使用者は、読み取られた画像を読み取られた時点で確認することができる。従って、作業効率を向上させることができる。また、プリスキャンと本スキャンを１往復で行うため、フィルムに記録された各コマの画像を迅速に且つ確実に読み取ることができる。したがって、処理時間を短縮することができるため、作業効率をさらに向上させることができる。
【図面の簡単な説明】
【図１】本発明に係る画像読み取り装置の構成を示すブロック図である。
【図２】ディスクの画像データの構成を説明するための図である。
【図３】ディスクのファイル構成を説明するための図である。
【図４】上記画像読み取り装置の操作処理において、ステップＳ１〜ステップＳ８の処理を示すフローチャートである。
【図５】上記画像読み取り装置の操作処理において、ステップＳ９〜ステップＳ１９の処理を示すフローチャートである。
【図６】上記画像読み取り装置の操作処理において、ステップＳ２０〜ステップＳ２８の処理を示すフローチャートである。
【図７】表示部に表示される初期画面を説明するための図である。
【図８】表示部に表示されるモード設定画面を説明するための図である。
【図９】表示部に表示されるフィルムセット画面を説明するための図である。
【図１０】表示部に表示されるプリスキャン開始画面を説明するための図である。
【図１１】表示部に表示されるプリスキャン中画面を説明するための図である。
【図１２】表示部に表示される６コマ表示画面を説明するための図である。
【図１３】表示部に表示される１コマ表示画面を説明するための図である。
【図１４】表示部に表示される本スキャン開始画面を説明するための図である。
【図１５】表示部に表示される本スキャン中画面を説明するための図である。
【図１６】残コマ数及び残アルバム数取得の処理を示すフローチャートである。
【図１７】表示部に表示される長尺フィルム用本スキャン終了画面を説明するための図である。
【図１８】表示部に表示されるインデックスプリント開始画面を説明するための図である。
【図１９】表示部に表示されるインデックスプリント中画面を説明するための図である。
【図２０】表示部に表示されるインデックスプリント終了画面を説明するための図である。
【図２１】表示部に表示される６コマ切りフィルム用本スキャン終了画面を説明するための図である。
【符号の説明】
１      スキャナ制御部
２      メモリ制御部
３      プリンタ制御部
４      ディスク制御部
５      システム制御部
６      キーボード
７      表示部
１１    スキャナ
２１    メインメモリ
２２    ビデオメモリ
３１    プリンタインターフェース部
３２    プリンタ
４１    ディスクインターフェース部
４２    ディスクドライブ
１００  画像読み取り装置
【図１】
0003946787.tif 000004
【図２】
0003946787.tif 000005
【図３】
0003946787.tif 000006
【図４】
0003946787.tif 000007
【図５】
0003946787.tif 000008
【図６】
0003946787.tif 000009
【図７】
0003946787.tif 000010
【図８】
0003946787.tif 000011
【図９】
0003946787.tif 000012
【図１０】
0003946787.tif 000013
【図１１】
0003946787.tif 000014
【図１２】
0003946787.tif 000015
【図１３】
0003946787.tif 000016
【図１４】
0003946787.tif 000017
【図１５】
0003946787.tif 000018
【図１６】
0003946787.tif 000019
【図１７】
0003946787.tif 000020
【図１８】
0003946787.tif 000021
【図１９】
0003946787.tif 000022
【図２０】
0003946787.tif 000023
【図２１】
0003946787.tif 000024